(57)【特許請求の範囲】
【請求項１】
テーブル天板（１０）とテーブルフレームとを備えたテーブルにおいて、
前記テーブルフレームは、水平ビーム（１２）と、前記テーブル天板（１０）を支持するための少なくとも１つの支持部（１４）と、前記支持部に連結された１つ以上のテーブル脚（１８）とを有し、
前記テーブル天板（１０）は、水平ピボット軸（１１．１）のまわりに枢軸回転できるように前記テーブルフレームにヒンジ結合され、
前記支持部（１４）は、使用時位置と積み重ね時位置の間で、前記ピボット軸（１１．１）を横切って移動可能であり、垂直軸（１４．４）のまわりに枢軸回転可能に前記ビーム（１２）に連結されており、
前記テーブル天板（１０）と前記支持部（１４）の間には、前記テーブル天板（１０）と前記支持部（１４）に連結された前記テーブル脚（１８）とを共に枢軸回転または支軸回転させるための連結手段（２１；２２）が設けられたことを特徴とするテーブル。
【請求項２】
前記連結手段は、一方の端部（１４．５）により前記ビーム（１２）に関節結合された前記支持部（１４）が、前記テーブル天板（１０）に固定されたガイドプロファイル部（２１，２３）内にその他方の端部（１４．６）を入れることで案内されるように構成されたことを特徴とする請求項１に記載のテーブル。
【請求項３】
前記ガイドプロファイル部は、前記支持部（１４）のためのガイド溝（２１．２）を有するフレーム（２１）により形成されたことを特徴とする請求項２に記載のテーブル。
【請求項４】
前記支持部（１４）は、前記ビーム（１２）に一方の端部が関節結合された状態で保持され、前記テーブルの使用時位置において、他方の端部１４．６はロック手段に解放可能に固定されることを特徴とする請求項１に記載のテーブル。
【請求項５】
少なくとも１つの枢軸回転可能な支持部（１４）が前記ビーム（１２）の２つの端部の各々に設けられたことを特徴とする請求項１に記載のテーブル。
【請求項６】
第１及び第２の枢軸回転可能な支持部（１４，１５）がビーム（１２）の２つの端部の各々に設けられたことを特徴とする請求項１に記載のテーブル。
【請求項７】
第１及び第２の枢軸回転可能な支持部（１４，１５）が前記ビーム（１２）の各々に設けられ、これらの支持部は共通軸のまわりに枢軸回転可能であり、前記テーブルの使用時位置において互いに略Ｖ字形をなすように配置されたことを特徴とする請求項１に記載のテーブル。
【請求項８】
前記第２の支持部（１４）が、ばねによって、積み重ね時位置から使用時位置に自動的に移動可能であることを特徴とする請求項６に記載のテーブル。
【請求項９】
前記連結手段は、歯車すなわちマイタ歯車（２２．１，２２．２）により形成されたことを特徴とする請求項１に記載のテーブル。
【請求項１０】
前記テーブル脚は垂直支持柱として構成され、その底部に足部又はキャスターにより床上に支持される水平クロスバー（１６）を有し、前記クロスバーは、前記テーブル天板の枢軸回転範囲の外側に配置されることを特徴とする請求項１に記載のテーブル。
【請求項１１】
前記テーブル天板（１０）の使用時位置において、前記テーブル脚（１８）の前記クロスバー（１６）は互いに平行であると共に前記テーブルの奥行き方向に延在し、積み重ね時位置において、前記クロスバーは、前記支持部（１４）の相対的な移動に追従する角度をなして配置されることを特徴とする請求項１０に記載のテーブル。
【発明の詳細な説明】
【０００１】
本発明は、テーブル天板とテーブルフレームとを備えたテーブルにおいて、テーブル天板は、水平ピボット軸のまわりに枢軸回転可能にテーブルフレームにヒンジ結合されたテーブルに関する。テーブルフレームは、水平ビームと、テーブル天板を支持するための少なくとも１つの支持部と、支持部に連結された１つ以上のテーブル脚とを有している。支持部は、使用時位置と積み重ね時位置の間でピボット軸を横切って移動可能であり、垂直軸のまわりに枢軸回転可能にビームに連結されている。
【０００２】
このようなテーブルは、例えば、会議室用テーブルとして知られている。会議室の収容人員に応じて、異なる数のテーブルを設置しなければならない。必要でないテーブルは、スペースを節約するために積み重ねられる。
【０００３】
請求項の前文によるテーブルは、ＥＰ−Ａ−０５７２７７０から公知である。このテーブルは、垂直支持柱として構成された２つのテーブル脚を有し、その底部には、足部により床上に支持されるクロスバーを有する。テーブル天板の使用時位置においては、各テーブル脚のクロスバーは互いに平行であり、テーブルの奥行き方向に延在する。このテーブルを使用時位置から積み重ね時位置にするためには、まず最初に、両方の支持柱を内側に折り畳まなければならず、これによりテーブル天板を下側に折り畳むことが可能になる。通常、この操作には２人の人間が必要である。
ＤＥ９４１７５８５から、請求項１の前文による折り畳みテーブルが公知であり、ここでは、支持部は、テーブル天板に回転可能に設けたヒンジ状取り付け具により、テーブル天板に固定されている。テーブル天板を下に折り畳むためには、もし可能ならば対応する取り付け具のまわりに、２つの支持部を同時に回転させなければならない。両方の支持部が互いに一列に並ぶと直ちに、テーブルフレームに対してテーブル天板を下に折り畳むことが可能となる。
請求項１の前文による更なる折り畳みテーブルが、ＤＥ−Ａ−１９８３７９８７から公知であり、ここでは、テーブル天板は、水平ピボット軸のまわりに枢軸回転可能にテーブルフレームにヒンジ結合され、支持部は使用時位置と積み重ね時位置の間で、ピボット軸を横切って移動可能、すなわち、垂直軸のまわりに枢軸回転可能である。支持部を、テーブル天板に対して移動させ、テーブル天板を下から支えないようにすることができ、これにより、テーブル天板を水平ピボット軸のまわりに折り畳むことができる。
【０００４】
よって、本発明の目的は、テーブルを使用時位置から積み重ね時位置にすることおよびその逆にすることが１人で容易にできるように、請求項１の前文によるテーブルを改良することである。
【０００５】
この目的は、請求項１の特徴項により達成される。
【０００６】
本発明の更なる態様は、従属請求項の主題事項である。
【０００７】
本発明によれば、テーブルは、テーブル天板とテーブルフレームとを備え、テーブルフレームは、水平ビームと、テーブル天板を支持するための少なくとも１つの支持部と、支持部に連結された１つ以上のテーブル脚とを有している。テーブル天板は、水平ピボット軸のまわりに枢軸回転可能に、ビームにヒンジ結合され、支持部は、使用時位置と積み重ね時位置の間で、ピボット軸を横切って移動可能であり、垂直軸のまわりに枢軸回転可能に、ビームに連結されている。更に、テーブル天板と支持部の間には、テーブル天板と支持部に連結されたテーブル脚を共に枢軸回転または支軸回転させるための連結手段が設けられている。
【０００８】
その結果、必要に応じロックを解除した後、単にテーブル天板を下に折り畳むだけで、テーブルを使用時位置から積み重ね時位置にすることができる。この場合、テーブル脚は自動的にテーブル天板と共に枢軸回転または支軸回転する。逆に、テーブル天板を持ち上げることにより、同様に、１人で簡単にテーブルを使用時位置にすることが可能である。
【０００９】
本発明の特別な態様において、テーブル脚は垂直支持柱として構成され、その底部に足部又はキャスターにより床上に支持される水平クロスバーを有している。この場合、クロスバーはテーブル天板の枢軸回転範囲の外側に配置され、テーブル天板の使用時位置においては、クロスバーは互いに平行でありテーブルの奥行き方向に延在する。一方、積み重ね時位置では、クロスバーは、支持部の移動に応じて互いに対してある角度をなして配置される。
【００１０】
積み重ね時位置におけるこれらクロスバーの角度をなした配置により、この位置においても、テーブル天板を下に折り畳んだ状態でテーブルを独立して立たせておくことが可能となる。クロスバーにキャスターが設けられている場合には、積み重ね時位置においてもテーブルを簡単に移動させることができる。更に、これらクロスバーの角度をなした配置により、積み重ね時位置において複数のテーブルを互いに積み重ねたり前後に並べて置くことができ、その結果、積み重ね時位置におけるテーブルの非常に省スペースな配置が得られる。
【００１１】
いくつかの実施例の記載及び図面を参照して、本発明の更なる態様と利点をより詳細に以下に説明する。
【００１２】
第１の実施例を図１〜図５に示す。テーブルは、基本的には、テーブル天板１０とテーブルフレームから構成され、テーブル天板は、水平ピボット軸１１．１のまわりに枢軸回転可能に、テーブルフレームにヒンジ結合されている。テーブルフレームは、水平ビーム１２と、テーブル天板１０を支持するための少なくとも１つの支持部１４と、回転不能に支持部に連結された１つ以上のテーブル脚とを有している。支持部１４は、使用時位置（図２と図３）と積み重ね時位置（図４と図５）の間で、ピボット軸１１．１を横切って移動可能に、すなわち、垂直軸１４．４のまわりに枢軸回転可能にビーム１２に連結されている。テーブル天板１０は、ヒンジ１１により、枢軸回転可能にビーム１２にヒンジ結合されている。
【００１３】
テーブルは、さらに、横断支持部２１を有し、この横断支持部はビーム１２を横切る方向に配置され、略円弧状に湾曲した中心部２１．１に溝２１．２を有している。
【００１４】
支持部１４は、アウトリガ状に構成され、その端部１４．５がビーム１２に関節結合された状態で保持され、他方の端部１４．６は横断支持部２１の溝２１．２内を案内される。この場合、端部１４．６は、例えば、ガイドローラーの案内突起として構成される。少なくともテーブルの使用時位置において、支持部１４の端部１４．６を溝２１．２の一端に解放可能に固定するために、適切なロック手段を設けねばならない。これは、例えば、溝を対応した形状にすることやその他の手段により達成できる。
【００１５】
テーブルの使用時位置において、支持部１４は、ビーム１２の延長線に対して例えば４５°の角度に方向づけられる。
【００１６】
テーブル脚１８には、その下部にクロスバー１６が設けられ、このクロスバーは、足部又はキャスター１７を備えている。テーブルの使用時位置では、クロスバーは、ビーム１２に対して略直交するように方向づけられる（図３参照）。テーブル脚１８は支持部１４に剛体接続されているため、クロスバー１６は、支持部１４の枢軸回転動作のあいだ、それに対応して移動する。積み重ね時位置では、２つの対向するクロスバーは、互いにＶ字形をなすように方向づけられる（図５参照）。この位置で、複数のテーブルを互いに積み重ねることができ、スペースが節約される。クロスバーにキャスター１７が設けられていると、このような積み重ねが特に簡単になり、折り畳んだテーブルを苦労なく移動させることができる。
【００１７】
図６〜図１０には、第２の実施例が示され、ここでは、テーブル天板とテーブル脚を共に枢軸回転または支軸回転させるための連結手段が、テーブル天板と支持部の間に更に設けられている。
【００１８】
対応する部分には、図１と同様な参照番号を用いる。
【００１９】
ここでも、テーブル天板１０は、ヒンジ１１により、枢軸回転可能にビーム１２に取り付けられている。支持部１４はやはり、その端部１４．５によりビーム１２に関節結合されている。さらに、テーブル脚１８もこの端部１４．５に固定されている。
【００２０】
テーブル天板と支持部を共に枢軸回転させるための連結手段は、図示の例では、歯車により、すなわち、２つのマイタ歯車２２．１と２２．２により形成されている。一方のマイタ歯車２２．１は、支持部１４に、その端部１４．５の領域で固定され、前記一方のマイタ歯車２２．１に噛合う他方のマイタ歯車２２．２は、横断支持部２１又はテーブル天板１０に固定されている。
【００２１】
テーブル天板１０に作用する力は、マイタ歯車だけでは吸収できないため、支持部１４は、テーブル天板を支持可能なアウトリガーとして構成される（図８参照）。この場合、テーブルの使用時位置においては、適切な方法で、アウトリガーを、解放可能にロックしなければならない。
【００２２】
使用時位置では、支持部１４は、ビーム１２に対してある角度をもって方向づけられる。しかしながら、テーブル天板１０を積み重ね時位置に枢軸回転した場合（図１０）、支持部１４とビーム１２は互いに平行となる。支持部１４の枢軸回転により、テーブル脚も回転し、これにより、クロスバー１６がテーブル天板１０に対して約４５°の角度をとり、したがって積み重ねスペースが少なくてすむ。
【００２３】
第３の好ましい実施例を図１１〜図１８を参照して以下に説明する。ここでも、同一の部分には同一の参照番号を用いる。
【００２４】
テーブルは、基本的には、テーブル天板１０とテーブルフレームから構成され、テーブルフレームは、水平ビーム１２と、テーブル天板を支持するための少なくとも１つの支持部１４と、支持部に連結された１つ以上のテーブル脚１８とを有している。テーブル天板１０は、ヒンジ１１により、水平ピボット軸のまわりに枢軸回転可能にビーム１２にヒンジ結合されている。支持部１４は、使用時位置（図１１）と積み重ね時位置（図１３）の間で、ピボット軸を横切って移動可能であり、垂直軸１４．４のまわりに枢軸回転可能にビーム１２に連結されている。
【００２５】
さらに、テーブル天板１０と支持部１４の間には、テーブル天板１０と支持部１４に連結されたテーブル脚１８を共に枢軸回転または支軸回転させるための連結手段が設けられている。この実施例では、これらの連結手段は、一方の端部１４．５によりビーム１２に関節結合された支持部１４が、テーブル天板１０に固定されたガイドプロファイル部２３内にその他方の端部１４．６を入れることで案内されるように構成されている。このガイドプロファイル部は、フレームとして構成され、ガイド溝２３．２を有し、その内部で、支持部１４の１端部１４．６が適切なベアリング２４により案内される。
【００２６】
特に図１２からわかるように、第１の支持部１４がビーム１２の各端部に関節結合され、各第１の支持部はテーブル脚１８に接続されている。第１の支持部１４に加え、第２の支持部１５がさらに設けられ、この第２の支持部は、同様に垂直軸１４．４のまわりに枢軸回転可能であるが、但し第１の支持部１４とは独立して枢軸回転する。この第２の支持部１５は、同様に、垂直軸１４．４とは反対側の端部１５．１によってガイドプロファイル部２３に接触している。第２の支持部１５の端部１５．１には、テーブル天板１０に対面するその上面に、ガイドプロファイル部２３上の対応するガイドトラック２３．２と共働する適切なベアリング１５．２が設けられている。ベアリング１５．２は、例えば、ガイドトラック２３．２上を転動することができるローラーベアリングにより形成することができる。
【００２７】
特に図１２からわかるように、第１の支持部１４と第２の支持部１５は、テーブルの使用時位置においては、互いに略Ｖ字形をなすように配置される。第１の支持部１４は、テーブル天板１０の支持に加え、テーブル天板を下に折り畳む際に脚を同時に回転させるために、テーブル天板１０とテーブル脚１８の間の接続部材としても働く。第２の支持部１５は、主に、テーブル天板の補助的支持部として働き、この実施例では、使用時位置でのテーブル天板のロック機能も有している。
【００２８】
さらに、第２の支持部１５は、テーブル天板が水平に方向づけられると直ちに積み重ね時位置から使用時位置に自動的に移動するように、詳細には示さないばね部材によりバイアスされている。移動の終了時に、第２の支持部１５の端部１５．１は、単に概略的に示されたロック機構２５に接触してロック状態になる。
【００２９】
このように、第１の支持部１４は、テーブル天板が積み重ね時位置から支持部のロック位置まで枢軸回転する全過程のあいだ、移動することになる。一方、第２の支持部１５は、テーブル天板が水平な使用時位置になった時に、ばね部材により自動的に枢軸回転するにすぎない。ロックされた第２の支持部１５を解放するために、図１２，図１３及び図１４に概略的に示されロック機構２５と動作的に接続された、ロック解除機構２６が設けられている。
【００３０】
ロック解除機構２６は、例えば、その一端２６．１に、適宜構成されたハンドルを有し、このハンドルを用いてロック解除機構を矢印２７（図１２）の方向に移動させることができる。矢印２７の方向における移動の際に、同伴用突起２６．２が第２の支持部１５と接触し、それをいっしょに連れて行く。
【００３１】
テーブルの積み重ね時位置では、２つの支持部１４と１５は、互いに略平行となり、ビーム１２の延長線上にある。
【００３２】
しかしながら、本発明の範囲内で、上記ロック機構２５を、簡単な、必要に応じてダンパーを付けたストッパーとし、このストッパー上に、延長された第２の支持部１５を載せ、ばね（図示せず）により保持するように構成することも考えられる。この場合、ロック解除機構を、上述したように形成して、テーブル天板の枢軸回転を容易にするために第２の支持部１５を同伴する機能を単に有するようにしてもよい。
【００３３】
テーブル脚１８は、垂直支持柱として構成され、その底部に、足部又はキャスター１７により床上に支持されたクロスバー１６を有している。この場合、クロスバー１６は、テーブル天板１０の枢軸回転領域の外側に配置されている。すなわち、図１７に示すように、折り畳まれたテーブル天板の下縁部１０．１がクロスバー１６の上方で終端する。
【００３４】
クロスバーは略水平に、すなわち、テーブル脚１８を横切るように、構成されている。図示の実施例においては、テーブルは２つの脚を有しており、それぞれビーム１２の各端部に配置されている。
【００３５】
図１２に、テーブル天板１０の使用時位置において、テーブル脚１８のクロスバー１６が互いに平行に且つテーブルの奥行き方向に延在した状態を示す。図１７及び図１８に示す積み重ね時位置においては、クロスバーは支持部１４の移動により互いである角度をなしている。すなわち、各クロスバーは、例えば、テーブル天板に対して約４５°の角度をなしている。
【００３６】
この角度をなした配置によって、テーブルは、テーブル天板１０を下に折り畳んだ状態においても、独立して立たせておくことができ、複数のテーブルを互いに積み重ねる際にも、より多くの搬入空間を必要とすることがない。図１８に示した上面図では、斜めに位置したクロスバーがテーブル天板から突出しているが、それでも、互いに積み重ねられるテーブルを、互いに直接突き当てて相互に積み重ねることが可能である。
【００３７】
上述した各実施例のテーブルは、連結手段により、テーブル天板が枢軸回転している時にクロスバーを備えたテーブル脚が同時に回転されるため、１人で何の問題もなく、テーブルを使用時位置から積み重ね時位置にしたり、その逆にすることができるという事実により特徴づけられる。テーブル天板を下に折り畳んだ状態でテーブルを独立して立たせておけるという機能との組合せにより、更なる単純化が得られる。さらに、テーブルがキャスターを備えていれば、比較的寸法が大きい場合でも、１人で簡単に、テーブルを閉じたり折り畳んだりして移動できる。
【図面の簡単な説明】
【図１】  第１の実施例によるテーブルの三次元図を示す。
【図２】  図１に示すテーブルの、使用時位置における概略側面図を示す。
【図３】  図１に示すテーブルの、使用時位置における概略上面図を示す。
【図４】  図１に示すテーブルの、積み重ね時位置における概略側面図を示す。
【図５】  図１に示すテーブルの、積み重ね時位置における概略上面図を示す。
【図６】  第２の実施例によるテーブルの概略正面図を示す。
【図７】  図６に示すテーブルの、使用時位置における概略側面図を示す。
【図８】  図６に示すテーブルの、使用時位置における概略上面図を示す。
【図９】  図６に示すテーブルの、積み重ね時位置における概略側面図を示す。
【図１０】  図６に示すテーブルの、積み重ね時位置における概略上面図を示す。
【図１１】  第３の態様によるテーブルの、使用時位置における側面図を示す。
【図１２】  図１１に示すテーブルの、使用時位置における下から見た図を示す。
【図１３】  図１１に示すテーブルの、積み重ね時位置における背面図を示す。
【図１４】  図１２における支持体の領域の詳細を示す。
【図１５】  図１４におけるＡ−Ａ線に沿った断面図を示す。
【図１６】  図１４におけるＢ−Ｂ線に沿った断面図を示す。
【図１７】  互いに積み重ねた２つのテーブルの側面図を示す。
【図１８】  互いに積み重ねた２つのテーブルの上面図を示す。
【図１】
0004323126.tif 000002
【図２】
0004323126.tif 000003
【図３】
0004323126.tif 000004
【図４】
0004323126.tif 000005
【図５】
0004323126.tif 000006
【図６】
0004323126.tif 000007
【図７】
0004323126.tif 000008
【図８】
0004323126.tif 000009
【図９】
0004323126.tif 000010
【図１０】
0004323126.tif 000011
【図１１】
0004323126.tif 000012
【図１２】
0004323126.tif 000013
【図１３】
0004323126.tif 000014
【図１４】
0004323126.tif 000015
【図１５】
0004323126.tif 000016
【図１６】
0004323126.tif 000017
【図１７】
0004323126.tif 000018
【図１８】
0004323126.tif 000019